【事件の表示】
　特許第３２１９７５０号「映像機器本体の収納装置」の請求項１〜１２に係る特許に対する特許異議の申立てについて、次のとおり決定する。
【結　論】
　訂正を認める。
　特許第３２１９７５０号の請求項１〜１１に係る特許を取り消す。
【理　由】
　
【１】手続の経緯
　
　本件特許第３２１９７５０号の請求項１〜１２に係る発明は、平成１２年２月１５日に特許出願され、平成１３年８月１０日にその発明について特許権の設定の登録がされ、その後、平成１４年４月１５日に特許異議申立人富士写真光機株式会社（以下、「異議申立人」という。）より請求項１〜１２に係る特許に対して特許異議の申立てがされ、請求項１〜１２に係る特許に対して取消しの理由が通知され、その指定期間内である平成１４年８月１６日に特許異議意見書が提出されるとともに訂正請求がされた後、訂正拒絶理由が通知され、平成１４年１１月２７日に意見書が提出されたものである。
　
【２】訂正の適否について
　
１．訂正の内容
　
　本件訂正請求は、訂正明細書の通りに訂正することを請求するものであって、訂正の内容は次のとおりである。
　
（１）訂正事項１
　
　特許請求の範囲の請求項１の「映像機器本体が出し入れ可能に収納される筐体と、
　前記筐体の内部における前記映像機器本体の周囲の温度を所定の範囲内に調整する温度調節機構とを備え、
　前記筐体の側面に開口部が形成され、前記映像機器本体はその光学系の光軸上に前記開口部が位置するよう配置されることを特徴とする」を、
　
『プロジェクタ本体が出し入れ可能に収納される筐体と、
　前記筐体の内部における前記プロジェクタ本体の周囲の温度を所定の範囲内に調整する温度調節機構とを備え、
　前記筐体の側面に開口部が形成され、前記プロジェクタ本体はその光学系の光軸上に前記開口部が位置するよう配置され、
　前記温度調節機構は、前記筐体において前記開口部が形成された側面と対向する側面に設けられ、前記筐体内を冷却するため外気を前記筐体の内部へ吸入する冷却手段を備え、
　前記冷却手段は、前記プロジェクタ本体の前記光軸に平行な中心軸を挟んで並置される複数のファンを有することを特徴とする』と訂正する。
　
（２）訂正事項２
　
　特許請求の範囲の請求項２の「前記温度調節機構は、
　前記筐体の内部に設けられ、前記筐体の内部の温度を感知する第１の温度センサと、
　前記筐体において前記開口部が形成された側面と対向する側面に設けられ、前記筐体内を冷却するため外気を前記筐体の内部へ吸入する冷却手段と、
　前記筐体の内部において前記映像機器本体の近傍に設けられる加熱手段とを備え、
　前記第１の温度センサの感知結果に基づいて前記冷却手段及び前記加熱手段が制御されることを特徴とする」を、
　
『前記温度調節機構は、さらに、前記筐体の内部に設けられ、前記筐体の内部の温度を感知する第１の温度センサと、
　前記筐体の内部において前記プロジェクタ本体の近傍に設けられる加熱手段とを備え、
　前記第１の温度センサの感知結果に基づいて前記冷却手段及び前記加熱手段が制御されることを特徴とする』と訂正する。
　
（３）訂正事項３
　
　特許請求の範囲の請求項５の「前記筐体において前記映像機器本体が配設される底面に」を、
　
『前記筐体において前記プロジェクタ本体が配設される底面に』と訂正する。
　
（４）訂正事項４
　
　特許請求の範囲の請求項６の「底面に前記映像機器本体が載置され上面に前記映像機器本体の出し入れ口が形成されたケース」を、
　
『底面に前記プロジェクタ本体が載置され上面に前記プロジェクタ本体の出し入れ口が形成されたケース』と訂正する。
　
（５）訂正事項５
　
　特許請求の範囲の請求項７および請求項８の「前記映像機器本体から出射される光束、あるいは前記映像機器本体に入射される光束」を、
　
『前記プロジェクタ本体から出射される光束』と訂正する。
　
（６）訂正事項６
　
　特許請求の範囲の請求項９の「前記第２の温度センサの感知結果が前記第１の温度センサの感知結果に比して所定の範囲を超えて低い場合」を、
　
『前記第２の温度センサの感知結果が前記第１の温度センサの感知結果より低い場合』と訂正する。
　
（７）訂正事項７
　特許請求の範囲の請求項１２を削除する。
　
（８）訂正事項８
　
　段落【０００５】の「【課題を解決するための手段】本発明にかかる映像機器本体の収納装置は、映像機器本体が出し入れ可能に収納される筐体と、筐体の内部における映像機器本体の周囲の温度を所定の範囲内に調整する温度調節機構とを備え、筐体の側面に開口部が形成され、映像機器本体はその光学系の光軸上に開口部が位置するよう配置されることを特徴とし、映像機器本体は例えばプロジェクタである。」を、
　
『【課題を解決するための手段】本発明にかかる映像機器本体の収納装置は、プロジェクタ本体が出し入れ可能に収納される筐体と、筐体の内部におけるプロジェクタ本体の周囲の温度を所定の範囲内に調整する温度調節機構とを備え、筐体の側面に開口部が形成され、プロジェクタ本体はその光学系の光軸上に開口部が位置するよう配置され、温度調節機構は、筐体において開口部が形成された側面と対向する側面に設けられ、筐体内を冷却するため外気を筐体の内部へ吸入する冷却手段を備え、冷却手段は、プロジェクタ本体の上述の光軸に平行な中心軸を挟んで並置される複数のファンを有することを特徴とする。』と訂正する。
　
（９）訂正事項９
　
　段落【０００６】の「好ましくは、温度調節機構は、筐体の内部に設けられ、筐体の内部の温度を感知する第１の温度センサと、筐体において開口部が形成された側面と対向する側面に設けられ、筐体内を冷却するため外気を筐体の内部へ吸入する冷却手段と、
筐体の内部において映像機器本体の近傍に設けられる加熱手段とを備え、第１の温度センサの感知結果に基づいて冷却手段及び加熱手段が制御される。」を、
　
『好ましくは、温度調節機構は、さらに、筐体の内部に設けられ、筐体の内部の温度を感知する第１の温度センサと、筐体の内部においてプロジェクタ本体の近傍に設けられる加熱手段とを備え、第１の温度センサの感知結果に基づいて冷却手段及び加熱手段が制御される。』と訂正する。
　
（１０）訂正事項１０
　
　段落【０００９】の「好ましくは、筐体において映像機器本体が配設される底面に、筐体の内部の空気を外部へ排出する排気口が設けられている。」を、
　
『好ましくは、筐体においてプロジェクタ本体が配設される底面に、筐体の内部の空気を外部へ排出する排気口が設けられている。』と訂正する
　
（１１）訂正事項１１
　
　段落【００１０】の「好ましくは、筐体は、底面に映像機器本体が載置され上面に映像機器本体の出し入れ口が形成されたケースと、ケースに着脱可能に取り付けられる蓋部材とから成る。」を、
　
『好ましくは、筐体は、底面にプロジェクタ本体が載置され上面にプロジェクタ本体の出し入れ口が形成されたケースと、ケースに着脱可能に取り付けられる蓋部材とから成る。』と訂正する。
　
（１２）訂正事項１２
　
　段落【００１１】の「好ましくは、開口部には、映像機器本体から出射される光束、あるいは映像機器本体に入射される光束が透過する透明板が配設されており、より好ましくは、透明板の結露を防止するための結露防止機構を備える。」を、
　
『好ましくは、開口部には、プロジェクタ本体から出射される光束が透過する透明板が配設されており、より好ましくは、透明板の結露を防止するための結露防止機構を備える。』と訂正する。
　
（１３）訂正事項１３
　
　段落【００１２】の「結露防止機構は、例えば、透明板の筐体内部側の表面上に配設され、その表面の温度を感知する第２の温度センサと、透明板の筐体内部側の表面上に配設され、第２の温度センサの感知結果が第１の温度センサの感知結果に比して所定の範囲を超えて低い場合、透明板の温度を上昇させるための加熱部材とを有する。」を、
　
『結露防止機構は、例えば、透明板の筐体内部側の表面上に配設され、その表面の温度を感知する第２の温度センサと、透明板の筐体内部側の表面上に配設され、第２の温度センサの感知結果が第１の温度センサの感知結果に比して低い場合、透明板の温度を上昇させるための加熱部材とを有する。』と訂正する。
　
（１４）訂正事項１４
　
　段落【００１４】の「以上のように本発明によれば、映像機器を筐体で保護し、かつ筐体内部の温度を温度調節機構により調節するため、映像機器の屋外における長期間の使用が可能となる。」を、
　
『以上のように本発明によれば、プロジェクタ本体を筐体で保護し、かつ筐体内部の温度を温度調節機構により調節するため、プロジェクタ本体の屋外における長期間の使用が可能となる。』と訂正する。
　
（１５）訂正事項１５
　
　段落【００１７】の「また、映像機器の光束を通過させるための開口部に設けられた透明板に結露防止機構を備えることにより、筐体の外部が低温となっても映像機器が処理する映像の画質に影響を与えることがない。」を、
　
『また、プロジェクタ本体の光束を通過させるための開口部に設けられた透明板に結露防止機構を備えることにより、筐体の外部が低温となってもプロジェクタ本体が処理する映像の画質に影響を与えることがない。』と訂正する。
　
（１６）訂正事項１６
　
　段落【００１８】の「また、筐体を、底面に映像機器が載置され上面に映像機器の出し入れ口が形成されたケースと、ケースに着脱可能に取り付けられる蓋部材とから成る構成にすることにより、映像機器の取り付け及び取り外しが容易となる。」を、
　
『また、筐体を、底面にプロジェクタ本体が載置され上面にプロジェクタ本体の出し入れ口が形成されたケースと、ケースに着脱可能に取り付けられる蓋部材とから成る構成にすることにより、プロジェクタ本体の取り付け及び取り外しが容易となる。』と訂正する。
　
（１７）訂正事項１７
　
　段落【００１９】の「筐体を被覆部材により全体的に覆うことにより、直射日光による筐体の温度上昇を防止され、さらに、筐体の開口部の近傍の端面を被覆部材の上面から被覆部材の下面に向かって傾斜して形成すれば、映像機器の光学系の光軸を遮断することがない。」を、
　
『筐体を被覆部材により全体的に覆うことにより、直射日光による筐体の温度上昇を防止され、さらに、筐体の開口部の近傍の端面を被覆部材の上面から被覆部材の下面に向かって傾斜して形成すれば、プロジェクタ本体の光学系の光軸を遮断することがない。』と訂正する。
　
（１８）訂正事項１８
　段落【００３３】の「及び吸気ファン３２の稼動」を、
　
『及び吸気ファン６２の稼動』と訂正する。
　
２．訂正の目的の適否、新規事項の有無及び拡張・変更の存否
　
（１）訂正事項１について
　
　上記訂正事項１は、特許明細書の特許請求の範囲の請求項１に記載された「映像機器本体が出し入れ可能に収納される筐体」「前記筐体の内部における前記映像機器本体の周囲の温度」「前記映像機器本体はその光学系の光軸上に前記開口部が位置するよう配置される」を、それぞれ『プロジェクタ本体が出し入れ可能に収納される筐体』『前記筐体の内部における前記プロジェクタ本体の周囲の温度』『前記プロジェクタ本体はその光学系の光軸上に前記開口部が位置するよう配置される』というように、映像機器本体を具体的にプロジェクト本体に特定した内容に限定するものである。この限定は、段落【００２０】における『本実施形態においては映像機器として液晶プロジェクタがケース２０に配設される。』という記載に基づくものである。
　また、『前記筐体において前記開口部が形成された側面と対向する側面に設けられ、前記筐体内を冷却するため外気を前記筐体の内部へ吸入する冷却手段』は、訂正前の特許請求の範囲の請求項２に含まれていた構成要件のうちの１つをそのまま記載したものであり、温度調節機構を具体的に特定した内容に限定するものである。
　さらに、『前記冷却手段は、前記プロジェクタ本体の前記光軸に平行な中心軸を挟んで並列される複数のファンを有する』は、段落【００３２】における、外気吸入機構６０(冷却手段)が吸気ファン６２を有するという記載、および複数の吸気ファンの配設位置を図示した図４に基づいて、冷却手段を具体的に特定した内容に限定するものである。
　したがって、この訂正は、特許法第１２０条の４第２項ただし書き第１号に規定する特許請求の範囲の減縮を目的とするものである。
　また、上記訂正事項１は、願書に添付した明細書または図面に記載した事項の範囲内の訂正であり、実質上特許請求の範囲を拡張しまたは変更するものではない。
　
（２）訂正事項２について
　
　訂正事項２は、温度調節機構の一構成要件である冷却手段を請求項１において限定する訂正に伴い、整合を図るためのものであるから、特許法第１２０条の４第２項ただし書き第３号に規定する明瞭でない記載の釈明に相当するものである。
　
（３）訂正事項３〜５について
　
　訂正事項３〜５は、映像機器本体をプロジェクタ本体と限定する請求項１における訂正に伴い、その整合を図るためのものであるから、特許法第１２０条の４第２項ただし書き第３号に規定する明瞭でない記載の釈明に相当するものである。
　
（４）訂正事項６について
　
　訂正事項６は、発明の詳細な説明の記載内容(段落【００２１】の「温度センサ２５により筐体１１の内部温度に比べガラス２４の表面の温度が低下していることが検知されると、」)との整合を図るためのものであるから、特許法第１２０条の４第２項ただし書き第３号に規定する明瞭でない記載の釈明に相当するものである。
　
（５）訂正事項７について
　
　訂正事項７は、請求項１２を削除するものであるから、特許法第１２０条の４第２項ただし書き第１号に規定する特許請求の範囲の減縮に相当する。
　
（６）訂正事項８〜１３について
　
　訂正事項８〜１３は、特許請求の範囲の訂正に伴い、課題を解決するための手段の内容を訂正後の特許請求の範囲に合わせたものであるから、特許法第１２０条の４第２項ただし書き第３号に規定する明瞭でない記載の釈明に相当するものであり、願書に添付した明細書又は図面に記載した事項の範囲内の訂正であり、特許請求の範囲を拡張し又は変更するものでもない。
　
（７）訂正事項１４〜１７について
　
　訂正事項１４〜１７は、特許請求の範囲の訂正に伴い、効果の内容を訂正後の特許請求の範囲に合わせたものであるから、特許法第１２０条の４第２項ただし書き第３号に規定する明瞭でない記載の釈明に相当するものであり、願書に添付した明細書又は図面に記載した事項の範囲内の訂正であり、特許請求の範囲を拡張し又は変更するものでもない。
　
（８）訂正事項１８について
　
　訂正事項１８は、『吸気ファン６２』とすべきところを「吸気ファン３２」と誤記したものである。段落【００３３】の記載内容が外気吸入機構であることから、『吸気ファン６２』とすべきことは明らかである。この誤記の訂正は、願書に添付した明細書又は図面に記載した事項の範囲内の訂正であり、特許請求の範囲を拡張し又は変更するものでもない。
　
　以上のとおりであるから、上記訂正は、特許法第１２０条の４第２項ただし書及び同条第３項において準用する特許法第１２６条第２項及び第３項の規定に適合するので、当該訂正を認める。
　
【３】特許異議申立てについての判断
　
１．本件発明
　
　上記【２】で示したように上記訂正が認められるから、本件の請求項１〜１１に係る発明（以下、「本件発明１〜１１」という。）は、上記訂正に係る訂正明細書の特許請求の範囲の請求項１〜１１に記載された事項により特定される次のとおりのものである。
　
「【請求項１】　プロジェクタ本体が出し入れ可能に収納される筐体と、
　前記筐体の内部における前記プロジェクタ本体の周囲の温度を所定の範囲内に調整する温度調節機構とを備え、
　前記筐体の側面に開口部が形成され、前記プロジェクタ本体はその光学系の光軸上に前記開口部が位置するよう配置され、
　前記温度調節機構は、前記筐体において前記開口部が形成された側面と対向する側面に設けられ、前記筐体内を冷却するため外気を前記筐体の内部へ吸入する冷却手段を備え、
　前記冷却手段は、前記プロジェクタ本体の前記光軸に平行な中心軸を挟んで並置される複数のファンを有することを特徴とする映像機器本体の収納装置。
　
【請求項２】　前記温度調節機構は、さらに、前記筐体の内部に設けられ、前記筐体の内部の温度を感知する第１の温度センサと、
　前記筐体の内部において前記プロジェクタ本体の近傍に設けられる加熱手段とを備え、
　前記第１の温度センサの感知結果に基づいて前記冷却手段及び前記加熱手段が制御されることを特徴とする請求項１に記載の映像機器本体の収納装置。
　
【請求項３】　前記温度調節機構は、さらに、近傍の空気の温度を上昇または下降させる温度調節手段と、前記第１の温度センサの感知結果に基づいて前記温度調節手段により前記筐体の内部の温度と異なる温度にされた空気を前記筐体の内部に送る送風手段とからなる温度調節補助機構を備えることを特徴とする請求項２に記載の映像機器本体の収納装置。
　
【請求項４】　前記温度調節手段は、ペルチェ素子を備える単一部材であり、前記単一部材の前記筐体の内方側の吸熱若しくは発熱は前記第１の温度センサの感知結果に基づいて制御されることを特徴とする請求項３に記載の映像機器本体の収納装置。
　
【請求項５】　前記筐体において前記プロジェクタ本体が配設される底面に、前記筐体の内部の空気を外部へ排出する排気口が設けられていることを特徴とする請求項１に記載の映像機器本体の収納装置。
　
【請求項６】　前記筐体は、底面に前記プロジェクタ本体が載置され上面に前記プロジェクタ本体の出し入れ口が形成されたケースと、前記ケースに着脱可能に取り付けられる蓋部材とから成ることを特徴とする請求項１に記載の映像機器本体の収納装置。
　
【請求項７】　前記開口部には、前記プロジェクタ本体から出射される光束が透過する透明板が配設されていることを特徴とする請求項１に記載の映像機器本体の収納装置。
　
【請求項８】　前記開口部には、前記プロジェクタ本体から出射される光束が透過する透明板が配設されており、前記透明板の結露を防止するための結露防止機構を備えることを特徴とする請求項２に記載の映像機器本体の収納装置。
　
【請求項９】　前記結露防止機構は、前記透明板の前記筐体内部側の表面上に配設され、該表面の温度を感知する第２の温度センサと、
　前記透明板の前記筐体内部側の表面上に配設され、前記第２の温度センサの感知結果が前記第１の温度センサの感知結果より低い場合、前記透明板の温度を上昇させるための加熱部材とを有することを特徴とする請求項８に記載の映像機器本体の収納装置。
　
【請求項１０】　前記筐体を全体的に覆う被覆部材を備えることを特徴とする請求項１に記載の映像機器本体の収納装置。
　
【請求項１１】　前記被覆部材は横断面形状がコの字型であり、前記被覆部材の側面の下辺部の長さが前記被覆部材の側面の上辺部の長さより短くなるよう、前記開口部の近傍の端面が前記上辺部から前記下辺部に向かって所定の角度で傾斜していることを特徴とする請求項１０に記載の映像機器本体の収納装置。」
　
２．引用刊行物に記載された発明
　
（１）当審が平成１４年６月１７日付けで通知した取消しの理由で引用した刊行物１（特開平７−１０７３４９号公報、異議申立人の提出した甲第１号証）には、図面と共に以下の事項が記載されている。
　
「【０００２】
【従来の技術】図７は従来のテレビカメラ装置の側断面図、図８はこのテレビカメラ装置の正面図である。図において、１は前部側に撮影用のレンズ１ａが取り付けられたテレビカメラ、２は内部にテレビカメラ１を収容して保護するカメラケース、３はカメラケース２の前面開口部に取り付けられ、テレビカメラ１の前方の視野を確保するデフロスタガラスである。このデフロスタガラス３にはデフロスタ（ガラス表面に塗布された通電可能な抵抗体）３ａが取り付けられており、このデフロスタ３ａへの通電によって、デフロスタガラス３は加熱されて、その表面に付着した水滴やくもりが除去されるようになっている。」（第２欄）
　
「【０００３】４はカメラケース２の上方、後方および左右両側方を覆うフード、５はカメラケース２内のテレビカメラ１の下方に取り付けられ、カメラケース２内の温度を上昇させるための電気ヒータ、６はカメラケース２内の上部に取り付けられ、カメラケース２内の空気を撹拌して循環させるファン、７はワイパーブレード７ａをデフロスタガラス３の外面上に摺動させて、このデフロスタガラス３の外面に付着した水滴や汚れを除去するワイパーユニットである。なお、このワイパーユニット７の本体７ｂはカメラケース２の上面側に取り付けられている。」（第２欄）
　
「【０００４】次に、この産業用テレビカメラ装置の動作について説明する。このテレビカメラ装置は、例えば屋外の所定場所に取り付けられており、カメラケース２内のテレビカメラ１がデフロスタガラス３を通して、例えば工場の設備の稼動状態等を常時撮影し、その影像を所定の監視用テレビに送っている。この場合、カメラケース２内に設けられたサーモスイッチ（図示せず）の動作に応じて、電気ヒータ５やファン６が作動され、カメラケース２内の温度が調整されるとともに、デフロスタ３ａが作動されて、デフロスタガラス３の表面に付着した水滴やくもりが除去される。また、特に雨等によりデフロスタガラス３の外面に水滴が付着した場合、ワイパーユニット７が動作されて、ワイパーブレード７ａによりデフロスタガラス３上の水滴等が除去される。なお、ワイパーユニット７は外部制御される場合が多い。」（第２〜３欄）
　
「【００１６】
【実施例】以下、この発明の実施例を図について説明する。
実施例１．図１はこの発明の請求項１および請求項２の一実施例に係る産業用テレビカメラ装置の側断面図、図２はこのテレビカメラ装置の制御用ブロック図である。なお、図７および図８で示した産業用テレビカメラ装置と同一または相当部分には同一符号を付して、その説明を省略する。
【００１７】図において、１０はカメラケース２内の温度を検出する温度センサである。この温度センサ１０は、例えばカメラケース２内の下部側、上部側およびデフロスタガラス３側にそれぞれ配置されている。１１はカメラケース２内の湿度を検出する湿度センサである。この湿度センサ１１はそれぞれ温度センサ１０の近傍に配置されている。１２はカメラケース２外方の直接外気と接触する位置、例えばカメラケース２の下方に配置された外気温度検出用の温度センサ、１３はこの温度センサ１２の近傍に配置された外気の湿度を検出する湿度センサである。
【００１８】１４は温度センサ１０，１２および湿度センサ１１，１３からの信号に基づき、デフロスタガラス３が結露状態にあるか、または結露しやすい状態にあるかを判断して、結露状態にあると判断する場合は、デフロスタ３ａやワイパーユニット７といった露除去機器や、電気ヒータ５やファン６といった結露防止機器を作動させ、結露しやすい状態にあると判断する場合は、電気ヒータ５やファン６といった結露防止機器を作動させる制御手段としてのシステム制御部である。なお、このシステム制御部１４はテレビカメラ１を動作保証温度に保持させるように、電気ヒータ５やファン６を作動させる機能をも有している。
【００１９】１５はシステム制御部１４からの指令に基づき、デフロスタガラス３のデフロスタ３ａ、電気ヒータ５、ファン６、ワイパーユニット７のＯＮ−ＯＦＦ作動を行なうコントロールユニット、１６はデフロスタ３ａ、電気ヒータ５、ファン６、ワイパーユニット７をシステム制御部１４およびコントロールユニット１５を介して外部から作動させるための外部制御部である。」（第５〜６欄）
　
「【００２４】まず、カメラケース２内の温度データに基づき、カメラケース２内の温度がテレビカメラ１の動作保証温度内にあるか否かが判断される（ステップ１）。保証温度に達していなければ、ＮＯとなって電気ヒータ５およびファン６が作動され（ステップ２）、カメラケース２内の温度が上げられる。そして、カメラケース２内の温度が保証温度の範囲に達すると、ＹＥＳとなってデフロスタガラス３が結露状態にあるか否かが判断される（ステップ３）。デフロスタガラス３が結露状態にあれば、ＹＥＳとなってデフロスタ３ａとワイパーユニット７とが作動される（ステップ４）とともに、電気ヒータ５およびファン６の作動または作動の継続がなされる（ステップ５）。なお、ワイパーユニット７はデフロスタガラス３の外面側が結露状態にある場合にのみ作動される。」（第６〜７欄）
　
「【００２９】さらに、上記制御動作においては、カメラケース２内がテレビカメラ１の動作保証温度内にない場合、電気ヒータ５とファン６とを作動させるようにしたが、カメラケース２内の温度条件によっては、電気ヒータ５を作動させずにファン６のみを作動させて（冷却して）、カメラケース２内の温度をテレビカメラ１の動作保証温度内に保持させるようにする。」（第８欄）
　
　そして、カメラケース２はテレビカメラ１とは別体のものであり、テレビカメラ１がカメラケース１に出し入れ可能に収納されることは明らかである。
　
　また、カメラケース２の内部におけるテレビカメラ１の周囲の温度を所定の範囲内に調整しているのが、「ヒータ５、ファン６、温度センサ１０」であることは上記刊行物１の記載より明らかである。
　
　さらに、刊行物１には、上記記載及び図面を参照すると、カメラケース２の前面開口部にデフロスタガラス３が配置されていることが開示され、テレビカメラ１はその光学系の光軸上に該デフロスタガラス３が配置されている前面開口部が位置するように配置されていることは明らかである。
　
　よって、これらの記載から、刊行物１には、
　
　「テレビカメラ１が出し入れ可能に収納されるカメラケース２と、
　前記カメラケース２の内部における前記テレビカメラ１の周囲の温度を所定の範囲内に調整するヒータ５、ファン６、温度センサ１０とを備え、
　前記カメラケース２の側面に前面開口部が形成され、前記テレビカメラ１はその光学系の光軸上に前記前面開口部が位置するよう配置され、
　前記ヒータ５、ファン６、温度センサ１０は、前記カメラケース２において設けられ、前記カメラケース２内を冷却するため外気を前記カメラケース２の内部へ吸入するファン６を備えることを特徴とするテレビカメラ１の収納装置。」
　
が記載されているものと認められる。
　
（２）同じく取消しの理由で引用した刊行物２（特開平８−１２５８９４号公報、異議申立人の提出した甲第２号証）には、図面と共に以下の事項が記載されている。
　
「図１において、テレビカメラはハウジング１０内に不図示のレンズ部が収納され、窓部から撮影するように構成されており、このハウジング１０には、図示のように、ファン１２がモータ１３と共に配置されると共に、排気孔１４が設けられる。また、ハウジング１０内の所定の位置に温度センサ１５が設けられ、」（第３欄第５〜１１行）
　
「ハウジング１０内に制御部１８が設けられており、この制御部１８は上記温度センサ１５及び雨滴センサ１６の検出出力に基づいて、ファン１２のモータ１３を駆動制御する。」（第３欄第１７〜２０行）
　
「このコンパレータ２０では温度センサ１５の出力電圧が基準電圧Ｖrefを超えたとき、即ちハウジング１０内の温度が４０度以上のときにHigh信号を出力する。」（第３欄第３５〜３８行）
　
「この駆動用トランジスタ２３は、上記High信号が入力された時点でオン状態となり、これによってリレー回路２４のコイルを動作させ、モータ１３の作動スイッチをオンすることになる。」（第３欄第４６〜５０行）
　
「天候が晴のまま、温度センサ１５によって、所定温度以上であることが検出されたときは、High信号を出力するので、アンド回路２２ではアンド条件が成立し、駆動トランジスタ２３がオンされる。従って、リレー回路２４によってモータ１３が動かされることになり、ファン１２が回転駆動される。この結果、図１の矢印の流れで示されるように、ファン１２から外気が取り入れられ、この外気はハウジング１０内を循環した後、排気孔１４から排出されることになり、内部が効率よく冷却される。」（第４欄第１０〜１９行）
　
（３）同じく取消しの理由で引用した刊行物３（特開平９−２３３３８１号公報、異議申立人の提出した甲第３号証）には、図面と共に以下の事項が記載されている。
　
「本発明はカメラハウジング装置に係り、特にテレビカメラを屋外で使用する際に、多様な気象条件下でもカメラの使用環境を良好に保つためのワイパー、ヒーター、ファン、デフロスター等の機器を備えたカメラハウジング装置に関する。」（第１欄第１３〜１７行）
　
「このカメラハウジング装置は、カメラを一定の温度環境に維持するためのヒーターやフャンを備えると共に、カメラの撮影レンズに対向して配設される保護ガラスには、曇り防止のためのデフロスターやワイパー等の機器が設けられている。これらの機器は、自動的にＯＮ，ＯＦＦさせたり、任意に動作させることが出来るようになっている。」（第１欄第２２〜２８行）
　
「カメラハウジング装置は、主としてカメラを収納するハウジング１０と、カメラの使用環境を良好に保持するためのデフロスター１５、ワイパー１６、ファン２２、ヒーター２０等の各機器と、コントロールボックス２４」（第２欄第２６〜３０行）
　
「ハウジング１０は、直方体状の箱型に形成され、内部には撮影レンズ１２を装着したテレビカメラ１４が収納できるようになっている。また、ハウジング１０には、カメラ１４の撮影レンズ１２が対向する位置に矩形状の透明なガラス窓１８が配設され、ガラス窓１８にはデフロスター１５とワイパー１６が設けられている。デフロスター１５は、例えば、ガラス窓１８の表面に導電膜をコーティングし、導電膜に通電してガラス窓１８を温めるように構成されており、これによりガラス窓１８の曇りを防止するようにしている。・・・また、ハウジング１０内を一定の温度環境に維持する機器としては、ヒーター２０とファン２２が設けられる。ヒーター２０はハウジング１０内の底面部又は側面部に設けられ、特に冬期等の低温時に動作してハウジング１０内の空気を加温する。また、ファン２２はハウジング１０の後端部に形成された開口（図示せず）に配設され、カメラ１４の自己発熱等により上昇したハウジング１０内の熱を外部に放出する。」（第２欄第３３行〜第３欄第５行）
　
「ヒーター２０及びファンはハウジング１０内の温度等に基づいて自動的にＯＮ／ＯＦＦされる」（第３欄第６〜８行）
　
（４）同じく取消しの理由で引用した刊行物４（特開平９−２０３９５０号公報、異議申立人の提出した甲第４号証）には、図面と共に以下の事項が記載されている。
　
「通常の撮像装置や赤外線撮像装置などのカメラヘッドを内部に収納して周囲環境の影響から撮像装置を保護するハウジングに関する。」（第１欄第２９〜３１行）
　
「５はペルチェ素子である。図面では構造の説明のため厚めに描写してあるが、実際は３ｍｍ程度の厚みの薄板で、駆動電源のコードはファン駆動用のものとまとめていったんハウジング内部を経由し、カメラ関係のケーブルとあわせてパッキングを備えたケーブル引き出し孔から外部に引き出され図示しない電源等を備えた操作ユニットへと接続される。
【０００６】外部環境の熱により、上昇した内部気温はファン７ｂで吸熱フィン部６ｂに送られる。次に熱を蓄えた吸熱フィン部６ｂから熱を逃がすべくペルチェ素子に流れた電流によってペルチェ効果が生じ、蓄えられた熱が放熱フィン部６ａに移動し、ファン７ａで、外気に向けて放熱される。」（第２欄第１２〜２４行）
　
「図１において、耐環境ハウジング２は、カメラヘッド１が収納されている矩形状の本体１２と、放熱フィンをまるごと覆うようにカバー状に形成されたパージエア供給路であるチェンバー１０によって構成されている。
【００１４】本体１２の外壁は多重構造になっており、２枚のアルミ等の金属材料の間に断熱材料を介在させたいわばサンドイッチ状に形成されている。ハウジング２の本体１２内部には、赤外線熱画像装置等の撮像装置でなるカメラヘッド１を収納する空間１３が形成されている。また図示しないが図面で言うと手前側の側板がカメラヘッド１の取り外しのために開口できる蓋体となっていて、止め金のかけ外しにより開閉できる構造になっている。そしてカメラヘッド１は本体１２の底板上に設けられた載置台１４に据え付けられる。
【００１５】ハウジング２の本体１２の前面には、外部の状況を映像として取り込むための窓部材４が設けられていて、窓部材４の外面にはチェンバー１０と連通し窓部材４に対しパージエア９ｂを吹き付けるエアダクト８が設けられている。
【００１６】本体１２の上面から前面上半分に渡ってパージエア９の通過する通路となるチェンバー１０が設けられている。本体１２の背面側にチェンバー１０と連通したパージエア吸気口１１を設け、チェンバー１０は放熱フィン部６ａ全体をカバーするように広く覆い、前面上部に連通して該エアダクト８へとパージエア９を導く。」（第３欄第２３〜末行）
　
（５）同じく取消しの理由で引用した刊行物５（特開平１１−２８４８８９号公報、異議申立人の提出した甲第５号証）には、図面と共に以下の事項が記載されている。
　
「本発明は、テレビジョンカメラのカメラヘッド筐体内雰囲気および撮像素子の冷却機能に関するものである。」（第１欄第１２〜１４行）
　
「図１のスイッチ１１はファン７の電源をＯＮ／ＯＦＦするスイッチであり、スイッチ１２はペルチェ素子８の電源をＯＮ／ＯＦＦするスイッチである。上記スイッチ１１とスイッチ１２は一方が短絡のときに他方は必ず開放となるように機械的にあるいは電気的に関係づけられている。これにより、ファン７の動作中はペルチェ素子８は動作を停止し、ファン７の動作を停止するとペルチェ素子８が動作する。カメラの通常運用時は、スイッチ１１を短絡しファン７のみを動作させ、ファン７の動作音が問題になるときはスイッチ１１を開放し（同時にスイッチ１２が短絡される）ファン７の動作を停止し、ペルチェ素子８のみでＣＣＤ３を冷却する。これにより、ファン７停止時もファン７の冷却効果には及ばないまでも、ＣＣＤ３の温度上昇を一定度遅らせることができる。」（第３欄第２６行〜第４欄第３行）
　
（６）同じく取消しの理由で引用した刊行物６（特開平８−３１６６４９号公報、異議申立人の提出した甲第６号証）には、図面と共に以下の事項が記載されている。
　
「この種のテレビカメラ等を実装するカメラハウジング（特に屋外の高所取付用）としては、図５（ａ），（ｂ）に示すようなものが知られている。図５（ａ）に示すカメラハウジングでは、外線ケーブルの接続やカメラの調整を行うには、カメラハウジング本体２１からカメラ取付ベース２２を引き出して作業を行う構造となっている。また図５（ｂ）に示すカメラハウジングでは、同図（ａ）のものとは逆に、カメラ取付ベース２４が固定で、ハウジングカバー２３を取外して作業を行う構造となっている。」（第１欄第３０〜３９行）
　
（７）同じく取消しの理由で引用した刊行物７（実願昭６３−１６３２００号（実開平２−８５９１９号）のマイクロフィルム）には、図面と共に以下の事項が記載されている。
　
「＜従来の技術＞
　従来、湿気や大きな温度変化を嫌う、高級美術品や精密電子機器、電気機器、精密機械等の器物を収容する各種の収納庫においては、」（第１頁下から第２行〜第２頁第２行）
　
「ペルチエ効果を利用した電子冷熱素子を集積してモジュール化したサーモモジュールによる温度調節装置を使用するとサーモモジュールに通電する電流の極性を反転するだけで、サーモモジュールのどちらの面で発熱し、他の面で吸熱するかを決定することが出来るので自動制御用回路も簡単な構成のもので良く、設計製作が極めて容易である。また、このサーモモジュールによる温度調節装置はコンプレッサー等の回転部、摩耗部分が無く、構造が簡単で殆ど無保守で長期間使用出来て騒音が出ない利点を有しているので、収納庫に適用する温度調節装置として最適である。
　第３図は、従来電気機器を収納した収納庫等で使用されているサーモモジュールを使用した温度調節装置の一例を示す部分断面図で、収納庫１０の背面に庫外側に突出した凸室１１が設けて有り、外面冷熱フィン１２が庫外側に、内面冷熱フィン１３が庫内側に対面するように装着したサーモモジュール１４によって庫外と庫内が隔離されている。」（第２頁第１３〜第３頁第１２行）
　
「図示しない制御回路によってサーモモジュール１４に通電する電流の向きを自在に制御することによって庫内を暖房したり、冷房することが可能で、例えば、冬季には外面冷熱フィン１２が冷却フィンとなり、内面冷熱フィン１３が放熱フィンとなって暖房するとともに、また、夏期には外面冷熱フィン１２が放熱フィンとなり、内面冷熱フィン１３が冷却フィンとなって冷房する。」（第４頁第１〜８行）
（８）同じく取消しの理由で引用した刊行物８（特開平１１−３２５５００号公報）には、図面と共に以下の事項が記載されている。
　
「【特許請求の範囲】
【請求項１】　　ペルチェ素子（熱電半導体素子）を用いることによってコンプレッサーなしに静かにかつ速やかに空気の冷房・暖房を行うことを特徴とする小型空調機。
【請求項２】　　前記ペルチェ素子（熱電半導体素子）に流れる電流を正転・逆転させることによって速やかに空気の冷房・暖房切り替えを行うことを特徴とする請求項１に記載の小型空調機。」（第１欄）
　
３．対比・判断
　
（１）本件発明１について
　
（ａ）本件発明１と上記刊行物１に記載された発明とを対比すると、刊行物１に記載された「カメラケース２」、「ヒータ５、ファン６、温度センサ１０」、「前面開口部」、「ファン６」、は、本件発明１の「筐体」、「温度調節機構」、「開口部」、「冷却手段」に相当すると認められる。
　
　したがって、両者は次の点で一致している。
　
「機器本体が出し入れ可能に収納される筐体と、
　前記筐体の内部における前記機器本体の周囲の温度を所定の範囲内に調整する温度調節機構とを備え、
　前記筐体の側面に開口部が形成され、前記機器本体はその光学系の光軸上に前記開口部が位置するよう配置され、
　前記温度調節機構は、前記筐体において設けられ、前記筐体内を冷却するため外気を前記筐体の内部へ吸入する冷却手段を備えることを特徴とする機器本体の収納装置。」
　
　しかし、両者は次の点で相違している。
　
（ア）相違点１
　
　筐体内に出し入れ可能に収納される機器本体が、本件発明１においては、プロジェクタあるいは映像機器であるのに対して、刊行物１に記載された発明においては、テレビカメラ１である点。
　
（イ）相違点２
　
　筐体において設けられ、前記筐体内を冷却するため外気を前記筐体の内部へ吸入する冷却手段が、本件発明１においては、開口部が形成された側面と対向する側面に設けられているのに対して、刊行物１に記載された発明においては、筐体上部に設けられている点。
　
（ウ）相違点３
　
　冷却手段が、本件発明１においては、機器本体の光軸に平行な中心軸を挟んで並置される複数のファンを有するのに対して、刊行物１に記載された発明においては、単にファンを有するのみで、それ以外は記載されていない点。
　
（ｂ）上記相違点について、以下検討する。
　
（ア）相違点１について
　
　本件発明１のプロジェクタは映像機器であるのに対し、刊行物１に記載された発明のテレビカメラ１は撮像機器であるが、両発明共に所定範囲の温度内でのみ動作が保証されている精密機器である点で一致しており、どちらの機器を筐体内に収納するかについては、当業者にとっては必要に応じて適宜選択し得る設計事項である。
　なお、本件訂正明細書の【発明の詳細な説明】における段落【００３７】には、「また、本実施形態において筐体１１に配設される映像機器は液晶プロジェクタ１００であるがこれに限るものではなく、カメラ等の撮像機器に屋外用ハウジング１０を用いてもよい。」と記載されている。
　
（イ）相違点２について
　
　冷却手段を開口部が形成された側面と対向する側面に設けることは、例えば、刊行物３に記載されているように、本件出願前周知の技術である。
　このような周知技術を刊行物１に記載されたものに適用することが困難とは言えず、また、刊行物１に記載されたものに、このような周知技術を適用することを阻害する特段の事由も存在しない。また、当該適用によって、格別顕著な作用効果を奏するものでもない。
　
（ウ）相違点３について
　
　ファンからなる冷却手段を筐体に設けるに当たっては、単数のファンより複数のファンを使用する方が冷却効率が向上することは技術常識上当然と言うべきであり、また、設計に際して、該ファンを複数設ける場合には、本件発明１のように、機器本体の光軸に平行な中心軸を挟んで並置することもまた、冷却効率を勘案すれば、至極当然の配置構成にすぎないものと言うべきである。
　
（ｃ）したがって、本件発明１は、刊行物１、３に記載された発明に基づいて当業者が容易に発明をすることができたものと認められる。
　
（２）本件発明２について
　
　本件発明２は、本件発明１の構成を、「前記温度調節機構は、さらに、前記筐体の内部に設けられ、前記筐体の内部の温度を感知する第１の温度センサと、
　前記筐体の内部において前記プロジェクタ本体の近傍に設けられる加熱手段とを備え、
　前記第１の温度センサの感知結果に基づいて前記冷却手段及び前記加熱手段が制御されること」とさらに限定したものであるが、この限定事項は、もともと刊行物１に「【００１７】図において、１０はカメラケース２内の温度を検出する温度センサである。・・・【００１８】１４は温度センサ１０，１２および湿度センサ１１，１３からの信号に基づき、デフロスタガラス３が結露状態にあるか、または結露しやすい状態にあるかを判断して、結露状態にあると判断する場合は、デフロスタ３ａやワイパーユニット７といった露除去機器や、電気ヒータ５やファン６といった結露防止機器を作動させ、結露しやすい状態にあると判断する場合は、電気ヒータ５やファン６といった結露防止機器を作動させる制御手段としてのシステム制御部である。なお、このシステム制御部１４はテレビカメラ１を動作保証温度に保持させるように、電気ヒータ５やファン６を作動させる機能をも有している。」と記載されているように、従来周知の技術手段といえるから、本件発明２は、刊行物１、３に記載された発明及び上記周知技術に基づいて当業者が容易に発明をすることができたものと認められる。
　
（３）本件発明３について
　
　本件発明３は、本件発明２の構成を、「前記温度調節機構は、さらに、近傍の空気の温度を上昇または下降させる温度調節手段と、前記第１の温度センサの感知結果に基づいて前記温度調節手段により前記筐体の内部の温度と異なる温度にされた空気を前記筐体の内部に送る送風手段とからなる温度調節補助機構を備えること」とさらに限定したものであるが、この限定事項は、刊行物４、５、７、８に記載されており、従来周知の技術手段であり、このような周知の技術手段を刊行物１に記載された発明に適用することが困難とは言えず、また、刊行物１に記載された発明にこのような周知の技術手段を適用することを阻害する特段の事由も存在しないから、本件発明３は、刊行物１、３に記載された発明及び上記周知技術に基づいて当業者が容易に発明をすることができたものと認められる。
　
（４）本件発明４について
　
　本件発明４は、本件発明３の構成を、「前記温度調節手段は、ペルチェ素子を備える単一部材であり、前記単一部材の前記筐体の内方側の吸熱若しくは発熱は前記第１の温度センサの感知結果に基づいて制御されること」とさらに限定したものであるが、この限定事項は、刊行物４、５、７、８に記載されており、従来周知の技術手段であり、このような周知の技術手段を刊行物１に記載された発明に適用することが困難とは言えず、また、刊行物１に記載された発明にこのような周知の技術手段を適用することを阻害する特段の事由も存在しないから、本件発明４は、刊行物１、３に記載された発明及び上記周知技術に基づいて当業者が容易に発明をすることができたものと認められる。
　
（５）本件発明５について
　
　本件発明５は、本件発明１の構成を、「前記筐体において前記プロジェクタ本体が配設される底面に、前記筐体の内部の空気を外部へ排出する排気口が設けられていること」とさらに限定したものであるが、この限定事項は、刊行物２に「図１において、テレビカメラはハウジング１０内に不図示のレンズ部が収納され、窓部から撮影するように構成されており、このハウジング１０には、図示のように、・・・排気孔１４が設けられる。」と記載され、図１の記載からみてハウジング１０（筐体に相当する。）の底部に排気孔１４（排気口に相当する。）が設けられており、従来周知の技術手段であり、このような周知の技術手段を刊行物１に記載された発明に適用することが困難とは言えず、また、刊行物１に記載された発明にこのような周知の技術手段を適用することを阻害する特段の事由も存在しないから、本件発明５は、刊行物１、３に記載された発明及び上記周知技術に基づいて当業者が容易に発明をすることができたものと認められる。
　
（６）本件発明６について
　
　本件発明６は、本件発明１の構成を、「前記筐体は、底面に前記プロジェクタ本体が載置され上面に前記プロジェクタ本体の出し入れ口が形成されたケースと、前記ケースに着脱可能に取り付けられる蓋部材とから成ること」とさらに限定したものであるが、この限定事項は、刊行物６に「この種のテレビカメラ等を実装するカメラハウジング（特に屋外の高所取付用）としては、図５（ａ），（ｂ）に示すようなものが知られている。図５（ａ）に示すカメラハウジングでは、外線ケーブルの接続やカメラの調整を行うには、カメラハウジング本体２１からカメラ取付ベース２２を引き出して作業を行う構造となっている。また図５（ｂ）に示すカメラハウジングでは、同図（ａ）のものとは逆に、カメラ取付ベース２４が固定で、ハウジングカバー２３を取外して作業を行う構造となっている。」と記載され、図５（ｂ）の記載からみて、機器本体が載置されているカメラ取付ベース２４（ケースに相当する。）及びカメラ取付ベース２４に着脱自在に取り付けられるハウジングカバー２４（蓋部材に相当する。）とからなるカメラハウジング（筐体に相当する。）の構成が認められ、従来周知の技術手段であり、このような周知の技術手段を刊行物１に記載された発明に適用することが困難とは言えず、また、刊行物１に記載された発明にこのような周知の技術手段を適用することを阻害する特段の事由も存在しないから、本件発明６は、刊行物１、３に記載された発明及び上記周知技術に基づいて当業者が容易に発明をすることができたものと認められる。
　
（７）本件発明７について
　
　本件発明７は、本件発明１の構成を、「前記開口部には、前記プロジェクタ本体から出射される光束が透過する透明板が配設されていること」とさらに限定したものであるが、この限定事項は、もともと刊行物１及び３に、それぞれ「３はカメラケース２の前面開口部に取り付けられ、テレビカメラ１の前方の視野を確保するデフロスタガラスである。」及び「また、ハウジング１０には、カメラ１４の撮影レンズ１２が対向する位置に矩形状の透明なガラス窓１８が配設され、」と記載されているように、従来周知の技術手段といえるから、本件発明７は、刊行物１、３に記載された発明及び上記周知技術に基づいて当業者が容易に発明をすることができたものと認められる。
　
（８）本件発明８について
　
　本件発明８は、本件発明２の構成を、「前記開口部には、前記プロジェクタ本体から出射される光束が透過する透明板が配設されており、前記透明板の結露を防止するための結露防止機構を備えること」とさらに限定したものであるが、この限定事項は、もともと刊行物１及び３に、それぞれ「３はカメラケース２の前面開口部に取り付けられ、テレビカメラ１の前方の視野を確保するデフロスタガラスである。このデフロスタガラス３にはデフロスタ（ガラス表面に塗布された通電可能な抵抗体）３ａが取り付けられており、このデフロスタ３ａへの通電によって、デフロスタガラス３は加熱されて、その表面に付着した水滴やくもりが除去されるようになっている。」及び「ハウジング１０には、カメラ１４の撮影レンズ１２が対向する位置に矩形状の透明なガラス窓１８が配設され、ガラス窓１８にはデフロスター１５とワイパー１６が設けられている。デフロスター１５は、例えば、ガラス窓１８の表面に導電膜をコーティングし、導電膜に通電してガラス窓１８を温めるように構成されており、これによりガラス窓１８の曇りを防止するようにしている。」と記載されているように、従来周知の技術手段といえるから、本件発明８は、刊行物１、３に記載された発明及び上記周知技術に基づいて当業者が容易に発明をすることができたものと認められる。
　
（９）本件発明９について
　
　本件発明９は、本件発明８の構成を、「前記結露防止機構は、前記透明板の前記筐体内部側の表面上に配設され、該表面の温度を感知する第２の温度センサと、
　前記透明板の前記筐体内部側の表面上に配設され、前記第２の温度センサの感知結果が前記第１の温度センサの感知結果より低い場合、前記透明板の温度を上昇させるための加熱部材とを有すること」とさらに限定したものであるが、この限定事項は、もともと刊行物１に「【００１８】１４は温度センサ１０，１２および湿度センサ１１，１３からの信号に基づき、デフロスタガラス３が結露状態にあるか、または結露しやすい状態にあるかを判断して、結露状態にあると判断する場合は、デフロスタ３ａ・・・を作動させる制御手段としてのシステム制御部である。」と記載されているように、従来周知の技術手段といえるから、本件発明９は、刊行物１、３に記載された発明及び上記周知技術に基づいて当業者が容易に発明をすることができたものと認められる。
　
（１０）本件発明１０について
　
　本件発明１０は、本件発明１の構成を、「前記筐体を全体的に覆う被覆部材を備えること」とさらに限定したものであるが、この限定事項は、もともと刊行物１に「【０００３】４はカメラケース２の上方、後方および左右両側方を覆うフード、」と記載され、図１等の記載からみてカメラケース２（筐体に相当する。）を全体的に覆うフード４（被覆部材に相当する。）を備えており、従来周知の技術手段といえるから、本件発明１０は、刊行物１、３に記載された発明及び上記周知技術に基づいて当業者が容易に発明をすることができたものと認められる。
　
（１１）本件発明１１について
　
　本件発明１１は、本件発明１０の構成を、「前記被覆部材は横断面形状がコの字型であり、前記被覆部材の側面の下辺部の長さが前記被覆部材の側面の上辺部の長さより短くなるよう、前記開口部の近傍の端面が前記上辺部から前記下辺部に向かって所定の角度で傾斜していること」とさらに限定したものであるが、この限定事項は、刊行物１の図５，８から見て、フード４（被覆部材に相当する。）はコの字型であり、また、図１，４から見て、前面開口部（開口部に相当する。）の近傍の端面が上辺部から下辺部に向かって所定の角度で傾斜している構成がもともと記載されており、従来周知の技術手段といえるから、本件発明１１は、刊行物１、３に記載された発明及び上記周知技術に基づいて当業者が容易に発明をすることができたものと認められる。
　
【４】むすび
　
　以上のとおりであるから、本件請求項１〜１１に係る特許は、特許法第２９条第２項の規定に違反してされたものであるから、特許法第１１３条第２号に該当し、取り消されるべきものである。
　
　よって、結論のとおり決定する。
【異議決定日】
平成１５年１月１０日（２００３．１．１０）
【訂正の要旨】
▲１▼訂正事項１
　特許請求の範囲の請求項１中、「映像機器本体が出し入れ可能に収納される筐体と、
　前記筐体の内部における前記映像機器本体の周囲の温度を所定の範囲内に調整する温度調節機構とを備え、
　前記筐体の側面に開口部が形成され、前記映像機器本体はその光学系の光軸上に前記開口部が位置するよう配置されることを特徴とする」を特許請求の範囲の減縮を目的として、
　『プロジェクタ本体が出し入れ可能に収納される筐体と、
　前記筐体の内部における前記プロジェクタ本体の周囲の温度を所定の範囲内に調整する温度調節機構とを備え、
　前記筐体の側面に開口部が形成され、前記プロジェクタ本体はその光学系の光軸上に前記開口部が位置するよう配置され、
　前記温度調節機構は、前記筐体において前記開口部が形成された側面と対向する側面に設けられ、前記筐体内を冷却するため外気を前記筐体の内部へ吸入する冷却手段を備え、
　前記冷却手段は、前記プロジェクタ本体の前記光軸に平行な中心軸を挟んで並置される複数のファンを有することを特徴とする』と訂正する。
▲２▼訂正事項２
　特許請求の範囲の請求項２中、「前記温度調節機構は、
　前記筐体の内部に設けられ、前記筐体の内部の温度を感知する第１の温度センサと、
　前記筐体において前記開口部が形成された側面と対向する側面に設けられ、前記筐体内を冷却するため外気を前記筐体の内部へ吸入する冷却手段と、
　前記筐体の内部において前記映像機器本体の近傍に設けられる加熱手段とを備え、
　前記第１の温度センサの感知結果に基づいて前記冷却手段及び前記加熱手段が制御されることを特徴とする」を明瞭でない記載の釈明として、
　『前記温度調節機構は、さらに、前記筐体の内部に設けられ、前記筐体の内部の温度を感知する第１の温度センサと、
　前記筐体の内部において前記プロジェクタ本体の近傍に設けられる加熱手段とを備え、
　前記第１の温度センサの感知結果に基づいて前記冷却手段及び前記加熱手段が制御されることを特徴とする』と訂正する。
▲３▼訂正事項３
　特許請求の範囲の請求項５中、「前記筐体において前記映像機器本体が配設される底面に」を訂正事項１の特許請求の範囲の訂正に伴い、請求項１との整合を図るため、明瞭でない記載の釈明として『前記筐体において前記プロジェクタ本体が配設される底面に』と訂正する。
▲４▼訂正事項４
　特許請求の範囲の請求項６中、「底面に前記映像機器本体が載置され上面に前記映像機器本体の出し入れ口が形成されたケース」を訂正事項１の特許請求の範囲の訂正に伴い、請求項１との整合を図るため、明瞭でない記載の釈明として『底面に前記プロジェクタ本体が載置され上面に前記プロジェクタ本体の出し入れ口が形成されたケース』と訂正する。
▲５▼訂正事項５
　特許請求の範囲の請求項７および請求項８中、「前記映像機器本体から出射される光束、あるいは前記映像機器本体に入射される光束」を訂正事項１の特許請求の範囲の訂正に伴い、請求項１との整合を図るため、明瞭でない記載の釈明として『前記プロジェクタ本体から出射される光束』と訂正する。
▲６▼訂正事項６
　特許請求の範囲の請求項９中、「前記第２の温度センサの感知結果が前記第１の温度センサの感知結果に比して所定の範囲を超えて低い場合」を、発明の詳細な説明の記載との整合を図るため、明瞭でない記載の釈明として『前記第２の温度センサの感知結果が前記第１の温度センサの感知結果より低い場合』と訂正する。
▲７▼訂正事項７
　特許請求の範囲の請求項１２を削除する。
▲８▼訂正事項８
　訂正事項１の特許請求の範囲の訂正に伴い、特許請求の範囲の記載と発明の詳細な説明の整合を図るため、明瞭でない記載の釈明を目的として、段落【０００５】の【課題を解決するための手段】を、
　『本発明にかかる映像機器本体の収納装置は、プロジェクタ本体が出し入れ可能に収納される筐体と、筐体の内部におけるプロジェクタ本体の周囲の温度を所定の範囲内に調整する温度調節機構とを備え、筐体の側面に開口部が形成され、プロジェクタ本体はその光学系の光軸上に開口部が位置するよう配置され、温度調節機構は、筐体において開口部が形成された側面と対向する側面に設けられ、筐体内を冷却するため外気を筐体の内部へ吸入する冷却手段を備え、冷却手段は、プロジェクタ本体の上述の光軸に平行な中心軸を挟んで並置される複数のファンを有することを特徴とする。』と訂正する。
▲９▼訂正事項９
　訂正事項２の特許請求の範囲の訂正に伴い、特許請求の範囲の記載と発明の詳細な説明の整合を図るため、明瞭でない記載の釈明を目的として、段落【０００６】を、
　『好ましくは、温度調節機構は、さらに、筐体の内部に設けられ、筐体の内部の温度を感知する第１の温度センサと、筐体の内部においてプロジェクタ本体の近傍に設けられる加熱手段とを備え、第１の温度センサの感知結果に基づいて冷却手段及び加熱手段が制御される。』と訂正する。
▲１０▼訂正事項１０
　訂正事項３の特許請求の範囲の訂正に伴い、特許請求の範囲の記載と発明の詳細な説明の整合を図るため、明瞭でない記載の釈明を目的として、段落【０００９】を、
　『好ましくは、筐体においてプロジェクタ本体が配設される底面に、筐体の内部の空気を外部へ排出する排気口が設けられている。』と訂正する
▲１１▼訂正事項１１
　訂正事項４の特許請求の範囲の訂正に伴い、特許請求の範囲の記載と発明の詳細な説明の整合を図るため、明瞭でない記載の釈明を目的として、段落【００１０】を、
　『好ましくは、筐体は、底面にプロジェクタ本体が載置され上面にプロジェクタ本体の出し入れ口が形成されたケースと、ケースに着脱可能に取り付けられる蓋部材とから成る。』と訂正する。
▲１２▼訂正事項１２
　訂正事項５の特許請求の範囲の訂正に伴い、特許請求の範囲の記載と発明の詳細な説明の整合を図るため、明瞭でない記載の釈明を目的として、段落【００１１】を、
　『好ましくは、開口部には、プロジェクタ本体から出射される光束が透過する透明板が配設されており、より好ましくは、透明板の結露を防止するための結露防止機構を備える。』と訂正する。
▲１３▼訂正事項１３
　訂正事項６の特許請求の範囲の訂正に伴い、特許請求の範囲の記載と発明の詳細な説明の整合を図るため、明瞭でない記載の釈明を目的として、段落【００１２】を、
　『結露防止機構は、例えば、透明板の筐体内部側の表面上に配設され、その表面の温度を感知する第２の温度センサと、透明板の筐体内部側の表面上に配設され、第２の温度センサの感知結果が第１の温度センサの感知結果に比して低い場合、透明板の温度を上昇させるための加熱部材とを有する。』と訂正する。
▲１４▼訂正事項１４
　訂正事項１の特許請求の範囲の訂正に伴い、特許請求の範囲の記載と発明の詳細な説明の整合を図るため、明瞭でない記載の釈明を目的として、段落【００１４】を、
　『以上のように本発明によれば、プロジェクタ本体を筐体で保護し、かつ筐体内部の温度を温度調節機構により調節するため、プロジェクタ本体の屋外における長期間の使用が可能となる。』と訂正する。
▲１５▼訂正事項１５
　訂正事項５の特許請求の範囲の訂正に伴い、特許請求の範囲の記載と発明の詳細な説明の整合を図るため、明瞭でない記載の釈明を目的として、段落【００１７】を、
　『また、プロジェクタ本体の光束を通過させるための開口部に設けられた透明板に結露防止機構を備えることにより、筐体の外部が低温となってもプロジェクタ本体が処理する映像の画質に影響を与えることがない。』と訂正する。
▲１６▼訂正事項１６
　訂正事項４の特許請求の範囲の訂正に伴い、特許請求の範囲の記載と発明の詳細な説明の整合を図るため、明瞭でない記載の釈明を目的として、段落【００１８】を、
　『また、筐体を、底面にプロジェクタ本体が載置され上面にプロジェクタ本体の出し入れ口が形成されたケースと、ケースに着脱可能に取り付けられる蓋部材とから成る構成にすることにより、プロジェクタ本体の取り付け及び取り外しが容易となる。』と訂正する。
▲１７▼訂正事項１７
　訂正事項１の特許請求の範囲の訂正に伴い、特許請求の範囲の記載と発明の詳細な説明の整合を図るため、明瞭でない記載の釈明を目的として、段落【００１９】を、
　『筐体を被覆部材により全体的に覆うことにより、直射日光による筐体の温度上昇を防止され、さらに、筐体の開口部の近傍の端面を被覆部材の上面から被覆部材の下面に向かって傾斜して形成すれば、プロジェクタ本体の光学系の光軸を遮断することがない。』と訂正する。
▲１８▼訂正事項１８
　誤記の訂正を目的として、段落【００３３】中、「及び吸気ファン３２の稼動」（特許第３２１９７５０号公報段落【００３３】第４〜５行目）を『及び吸気ファン６２の稼動』と訂正する。
（５４）【発明の名称】
映像機器本体の収納装置
（５７）【特許請求の範囲】
　【請求項１】　プロジェクタ本体が出し入れ可能に収納される筐体と、
　前記筐体の内部における前記プロジェクタ本体の周囲の温度を所定の範囲内に調整する温度調節機構とを備え、
　前記筐体の側面に開口部が形成され、前記プロジェクタ本体はその光学系の光軸上に前記開口部が位置するよう配置され、
　前記温度調節機構は、前記筐体において前記開口部が形成された側面と対向する側面に設けられ、前記筐体内を冷却するため外気を前記筐体の内部へ吸入する冷却手段を備え、
　前記冷却手段は、前記プロジェクタ本体の前記光軸に平行な中心軸を挟んで並置される複数のファンを有することを特徴とする映像機器本体の収納装置。
　【請求項２】　前記温度調節機構は、さらに、前記筐体の内部に設けられ、前記筐体の内部の温度を感知する第１の温度センサと、
　前記筐体の内部において前記プロジェクタ本体の近傍に設けられる加熱手段とを備え、
　前記第１の温度センサの感知結果に基づいて前記冷却手段及び前記加熱手段が制御されることを特徴とする請求項１に記載の映像機器本体の収納装置。
　【請求項３】　前記温度調節機構は、さらに、近傍の空気の温度を上昇または下降させる温度調節手段と、前記第１の温度センサの感知結果に基づいて前記温度調節手段により前記筐体の内部の温度と異なる温度にされた空気を前記筐体の内部に送る送風手段とからなる温度調節補助機構を備えることを特徴とする請求項２に記載の映像機器本体の収納装置。
　【請求項４】　前記温度調節手段は、ペルチェ素子を備える単一部材であり、前記単一部材の前記筐体の内方側の吸熱若しくは発熱は前記第１の温度センサの感知結果に基づいて制御されることを特徴とする請求項３に記載の映像機器本体の収納装置。
　【請求項５】　前記筐体において前記プロジェクタ本体が配設される底面に、前記筐体の内部の空気を外部へ排出する排気口が設けられていることを特徴とする請求項１に記載の映像機器本体の収納装置。
　【請求項６】　前記筐体は、底面に前記プロジェクタ本体が載置され上面に前記プロジェクタ本体の出し入れ口が形成されたケースと、前記ケースに着脱可能に取り付けられる蓋部材とから成ることを特徴とする請求項１に記載の映像機器本体の収納装置。
　【請求項７】　前記開口部には、前記プロジェクタ本体から出射される光束が透過する透明板が配設されていることを特徴とする請求項１に記載の映像機器本体の収納装置。
　【請求項８】　前記開口部には、前記プロジェクタ本体から出射される光束が透過する透明板が配設されており、前記透明板の結露を防止するための結露防止機構を備えることを特徴とする請求項２に記載の映像機器本体の収納装置。
　【請求項９】　前記結露防止機構は、前記透明板の前記筐体内部側の表面上に配設され、該表面の温度を感知する第２の温度センサと、
　前記透明板の前記筐体内部側の表面上に配設され、前記第２の温度センサの感知結果が前記第１の温度センサの感知結果より低い場合、前記透明板の温度を上昇させるための加熱部材とを有することを特徴とする請求項８に記載の映像機器本体の収納装置。
　【請求項１０】　前記筐体を全体的に覆う被覆部材を備えることを特徴とする請求項１に記載の映像機器本体の収納装置。
　【請求項１１】　前記被覆部材は横断面形状がコの字型であり、前記被覆部材の側面の下辺部の長さが前記被覆部材の側面の上辺部の長さより短くなるよう、前記開口部の近傍の端面が前記上辺部から前記下辺部に向かって所定の角度で傾斜していることを特徴とする請求項１０に記載の映像機器本体の収納装置。
【発明の詳細な説明】
　【０００１】
　【発明の属する技術分野】
　本発明は、映像機器を保護するハウジングに関する。
　【０００２】
　【従来の技術】
　通常、プロジェクタ等の映像機器は環境の安定した状態、例えば室内で使用することが前提となっている。即ち、映像機器の正常な動作は所定範囲の温度内でのみ保証されている。一方、近年、各種イベント等において映像を建造物等の壁面に投写することによりイベントの演出効果をあげようという試みがなされている。例えば、冬季のスキー場のゲレンデにおいて、雪で作り上げた壁面をスクリーンとして液晶プロジェクタで映像を投写することなどが考えられる。
　【０００３】
　【発明が解決しようとする課題】
　ところが、冬季や夏季には、気温が映像機器の正常動作が保証されている範囲を超えて低温あるいは高温になることがあり、映像機器を屋外で使用すると誤動作を起こす可能性がある。また、天候によっては映像機器が長期間、直射日光や風雨等にさらされ、搭載された各種電子部品に致命的なダメージを与える危険もある。従って、屋外における映像機器の長期間の使用は困難であるという問題があった。
　【０００４】
　本発明は、以上の問題を解決するものであり、映像機器の屋外での使用が長期間、可能となるハウジングを提供することを目的としている。
　【０００５】
　【課題を解決するための手段】
　本発明にかかる映像機器本体の収納装置は、プロジェクタ本体が出し入れ可能に収納される筐体と、筐体の内部におけるプロジェクタ本体の周囲の温度を所定の範囲内に調整する温度調節機構とを備え、筐体の側面に開口部が形成され、プロジェクタ本体はその光学系の光軸上に開口部が位置するよう配置され、温度調節機構は、筐体において開口部が形成された側面と対向する側面に設けられ、筐体内を冷却するため外気を筐体の内部へ吸入する冷却手段を備え、冷却手段は、プロジェクタ本体の上述の光軸に平行な中心軸を挟んで並置される複数のファンを有することを特徴とする。
　【０００６】
　好ましくは、温度調節機構は、さらに、筐体の内部に設けられ、筐体の内部の温度を感知する第１の温度センサと、筐体の内部においてプロジェクタ本体の近傍に設けられる加熱手段とを備え、第１の温度センサの感知結果に基づいて冷却手段及び加熱手段が制御される。
　【０００７】
　好ましくは、温度調節機構は、さらに、近傍の空気の温度を上昇または下降させる温度調節手段と、第１の温度センサの感知結果に基づいてこの温度調節手段により筐体の内部の温度と異なる温度にされた空気を筐体の内部に送る送風手段とからなる温度調節補助機構を備える。
　【０００８】
　温度調節手段は、例えばペルチェ素子を備える単一部材であり、単一部材の筐体の内方側の吸熱若しくは発熱は第１の温度センサの感知結果に基づいて制御される。
　【０００９】
　好ましくは、筐体においてプロジェクタ本体が配設される底面に、筐体の内部の空気を外部へ排出する排気口が設けられている。
　【００１０】
　好ましくは、筐体は、底面にプロジェクタ本体が載置され上面にプロジェクタ本体の出し入れ口が形成されたケースと、ケースに着脱可能に取り付けられる蓋部材とから成る。
　【００１１】
　好ましくは、開口部には、プロジェクタ本体から出射される光束が透過する透明板が配設されており、より好ましくは、透明板の結露を防止するための結露防止機構を備える。
　【００１２】
　結露防止機構は、例えば、透明板の筐体内部側の表面上に配設され、その表面の温度を感知する第２の温度センサと、透明板の筐体内部側の表面上に配設され、第２の温度センサの感知結果が第１の温度センサの感知結果に比して低い場合、透明板の温度を上昇させるための加熱部材とを有する。
　【００１３】
　好ましくは、筐体を全体的に覆う被覆部材を備え、被覆部材は例えば、横断面形状がコの字型であり、被覆部材の側面の下辺部の長さが被覆部材の側面の上辺部の長さより短くなるよう、開口部の近傍の端面が上辺部から下辺部に向かって所定の角度で傾斜している。
　【００１４】
　以上のように本発明によれば、プロジェクタ本体を筐体で保護し、かつ筐体内部の温度を温度調節機構により調節するため、プロジェクタ本体の屋外における長期間の使用が可能となる。
　【００１５】
　温度調節手段にペルチェ素子を備える単一部材を用いることにより、加熱、冷却がより強力に行なわれると共に、加熱、冷却の補助のために複数の部材を配設する必要がないため、筐体内のスペースが効率よく利用される。
　【００１６】
　また、温度調節機構に加えて、筐体に排出口を設けることにより、筐体内部の温度調節がより効率的に行なわれる。
　【００１７】
　また、プロジェクタ本体の光束を通過させるための開口部に設けられた透明板に結露防止機構を備えることにより、筐体の外部が低温となってもプロジェクタ本体が処理する映像の画質に影響を与えることがない。
　【００１８】
　また、筐体を、底面にプロジェクタ本体が載置され上面にプロジェクタ本体の出し入れ口が形成されたケースと、ケースに着脱可能に取り付けられる蓋部材とから成る構成にすることにより、プロジェクタ本体の取り付け及び取り外しが容易となる。
　【００１９】
　筐体を被覆部材により全体的に覆うことにより、直射日光による筐体の温度上昇を防止され、さらに、筐体の開口部の近傍の端面を被覆部材の上面から被覆部材の下面に向かって傾斜して形成すれば、プロジェクタ本体の光学系の光軸を遮断することがない。
　【００２０】
　【発明の実施の形態】
　以下、本発明の実施の形態を図面を参照して説明する。
　図１は、本発明に係る実施形態が適用される屋外用ハウジングを示す分解斜視図である。
　屋外用ハウジング１０は、ケース２０とケース２０に着脱可能に取り付けられる蓋３０を備える筐体１１と、筐体１１に取り付けられるフード４０とから成る。ケース２０は略直方体の形状を有しており、蓋３０が取り付けられる上面２０Ｕには出し入れ口２１が形成されている。出し入れ口２１の周縁には全周にわたって所定の高さを有する係止壁２２が形成されている。ケース２０の上面２０Ｕの周縁部から係止壁２２までの長さがケース２０の側面部の厚さと略一致するよう、係止壁２２は設けられている。従って、蓋３０をケース２０に取り付けた場合、蓋３０が水平方向に不用意に移動することが防止される。後述する筐体１０に収容される映像機器の取り付け、取り外しは出し入れ口２１を介して行なわれる。換言すれば、出し入れ口２１は映像機器の出し入れを行なうのに十分な大きさを有している。尚、本実施形態においては映像機器として液晶プロジェクタがケース２０に配設される。
　【００２１】
　図２は、ケース２０の側面２０Ｆをケース２０の内方から示す正面図である。側面２０Ｆには開口部２０Ｐが形成されており、図１に示すように、側面２０Ｆのケース２０の外側の表面上において開口部２０Ｐの周縁には、窓枠２３がビスにより固定されている。窓枠２３には液晶プロジェクタから出射される光束を透過させる透明なガラス２４が固定的に嵌合している。ガラス２４の屋外用ハウジング１０の内方側の表面において、上面２０Ｕ側の角部に温度センサ２５が配設され、両側端部にはシリコンラバーヒータ２６が両面テープにより貼付されている。温度センサ２５により筐体１１の内部温度に比べガラス２４の表面の温度が低下していることが検知されると、シリコンラバーヒータ２６によりガラス２４が加熱され、ガラス２４の表面における結露の発生が防止される。尚、筐体１１の内部温度の検知については後述する。
　【００２２】
　ケース２０の側面２０Ｆと連続する側面２０Ｓにおいて上面２０Ｕの近傍には、結合クリップ２７が所定の間隔をおいて配設されている。蓋３０をケース２０に取り付けた場合、ケース２０の側面２０Ｓと略同一平面上に位置される蓋３０の側面３０Ｓには、結合クリップ２７が係合する取っ手３１が、それぞれの係合クリップ２７に対応してが配設されている。尚、ケース２０において側面２０Ｓと平行な側面２０Ｔ、及び蓋３０において側面３０Ｓと平行な側面３０Ｔにおいても、同様の結合クリップ（図示せず）とその結合クリップに対応した取っ手（図示せず）が配設されている。
　【００２３】
　フード４０は横断面形状が略コの字型となるよう成型された、例えば鉄からなる薄板状の部材である。フード４０の端面４０Ｆは、の側面４０Ｓ、４０Ｔの下辺部の長さが上辺部の長さより短くなるよう、上辺部から前記下辺部に向かって所定の角度で傾斜している。
　【００２４】
　蓋３０の上面３０Ｕにおいて、角部近傍にはそれぞれ取付ステー３２が配設されている。側面３０Ｆと側面３０Ｔにより規定される角部の近傍に配設された取付ステー３２を例にとって説明すると、蓋３０に固定される固定部３２Ｂと、固定部と一体的に形成された脚部３２Ｌと、脚部３２Ｌと一体的に形成され、フード４０の上面４０Ｕが取り付けられる取付部３２Ｕとから成る。取付部３２Ｕの略中央には、後述するネジが螺合する穴が形成されている。他の角部に配設された取付けステー３２も同様の構成を有しているので、図１中、各部の符号は省略されている。尚、それぞれの取付けステー３２の脚部３２Ｌの長さは同一となるよう成型されている。
　【００２５】
　ケース２０の側面２０Ｓには、取付ステー３２と同様の取付ステー２８が配設されている。側面２０Ｆ側の取付けステー２８を例にとって説明すると、側面２０Ｓに固定される固定部２８Ｂと、固定部２８Ｂと一体的に形成された脚部２８Ｌと、脚部２８Ｌと一体的に形成され、フード４０の側面４０Ｓが取り付けられる取付部２８Ｓとから成る。取付部２８Ｓの略中央には、後述するネジが螺合する穴が形成されている。他方の取付けステー２８も同一の構成を有しているので、図１中、各部の符号は省略されている。それぞれの取付けステー２８の脚部２８Ｌの長さは同一となるよう成型されている。また、側面２０Ｔにおいても同様に、取付ステー（図示せず）が配設されている。
　【００２６】
　フード４０の側面４０Ｓ及び４０Ｔには、取付けステー２８の取付部２８Ｓに形成された穴に対応した穴４１が形成され、上面４０Ｕには、取付ステー３２の取付部３２Ｕに形成された穴に対応した穴４２が形成されている。フード４０を取り付ける際には、穴４１と取付部２８Ｓの穴、及び穴４２と取付部３２の穴を一致させてネジを螺合させることにより、フード４０は固定される。
　【００２７】
　以上のように、取付ステー２８及び３２は、それぞれ脚部２８Ｌ、３２Ｌにより固定部２８Ｂ、３２Ｂと取付部２８Ｓ、３２Ｕが所定の距離離間して設けられている。従って、ケース２０の側面２０Ｓ及び蓋３０の側面３０Ｓの外周面とフード４０の側面４０Ｓの内周面、ケース２０の側面２０Ｔ及び蓋３０の側面３０Ｔの外周面とフード４０の側面４０Ｔの内周面、蓋３０の上面３０Ｕの外周面とフード４０の上面４０Ｕの内周面との接触が防止される。
　【００２８】
　図３は、筐体１１にフード４０を取付けた状態の屋外用ハウジング１０を示す斜視図である。図３において、筐体１１のケース２０、蓋３０、及びそれぞれに設けられた上述の各部材は破線で示されている。図３に示すように、筐体１１ははフード４０により全体的に被覆される。
　【００２９】
　図４は、筐体１１のケース２０を取り出し口２１の側から示す平面図である。図４に示すように、ケース２０内において、下面２０Ｂに載置された液晶プロジェクタ１００の両側に加熱器２９（加熱手段）が配設される。加熱器２９は、複数の角孔が格子状に形成された一対の鉄板の間にシリコンラバーヒータが配設された構成を有しており、ケース２０の下面２０Ｂにビス等で固定される。
　【００３０】
　図５は、液晶プロジェクタが設置された屋外用ハウジング１０を側面から示す一部断面図である。図１及び図５を参照すると、蓋３０の上面３０Ｕには、冷温器５０（温度調節補助機構）が設けられている。冷温器５０内には、ペルチェ素子（図示せず）が設けられており、ペルチェ素子の吸熱、発熱作用により冷却または加温された空気を筐体１１内に攪拌するための攪拌ファン５１と、ペルチェ素子の吸熱、発熱作用による空気の温度調節の効率をより高めるための攪拌フィン５２を備える。
　【００３１】
　冷温器５０においては、ペルチェ素子に接続された電極（図示せず）の極性を制御することにより、ペルチェ素子の両端面に発生する吸熱と発熱が切替えられる。即ち、筐体１１の内方側を冷却する場合は冷温器５０において筐体１１の外方側が発熱し、筐体１１の内方側の温度を上昇させる場合は冷温器５０において筐体１１の外方側が吸熱する。従って、ペルチェ素子における筐体１１の外方側の吸熱若しくは発熱による空気の温度の変化が、筐体１１の内方側の空気の温度の変化に影響を与えないよう、放熱ファン５３及び放熱フィン５４が設けられている。
　【００３２】
　ケース２０の側面２０Ｆと平行な側面２０Ｂには、外気吸入機構６０（冷却手段）が設けられている。外気吸入機構６０は、側面２０Ｂに形成された吸気口６１、吸気口６１に対応してケース２０に配設された吸気ファン６２、側面２０Ｂにおいて筐体１１の外方側の表面において吸気口６１を覆うようにビスにより固定された、格子状に複数の孔が刻設された裏蓋６３から成る。吸気ファン６２の回転に応じて、外気が裏蓋６３の孔、吸気口６１を介して筐体１１の内部に吸入される。
　【００３３】
　ケース２０の側面２０Ｂの内周面において吸気ファン６２の近傍には、サーモスタット７０が配設される。上述の冷温器５１におけるペルチェ素子に接続された電極の極性の切替え、及び吸気ファン６２の稼動、停止の制御は、サーモスタット７０により感知される筐体１１内の温度に基づいて行なわれる。即ち、例えば液晶プロジェクタ１００自体の発熱により、あるいは夏季の炎天下のような状況において、サーモスタット７０により筐体１１の内部温度の上昇が感知されると、吸気ファン６２が稼動されると共に、冷温器５１において筐体１１の内方側に吸熱作用が発生するよう電極の極性が制御される。一方、冬季のように筐体１１の外部が低温になると、加熱器２９が稼動され吸気ファン６２が停止されると共に、冷温器５１において筐体１１の内方側に発熱作用が発生するよう電極の極性が制御される。尚、筐体１１内部の温度は、液晶プロジェクタ１００の正常な動作が保証される温度、例えば摂氏５度〜３０度の範囲に常時保たれるよう、制御される。また、上述のガラス２４の表面における結露の発生防止における、筐体１１内部の温度の検知も、サーモスタット７０が用いられる。
　【００３４】
　ケース２０の下面２０Ｂにおいて側面２０Ｆと交差する周縁部近傍には、排気口８０が形成されている。排気口８０は、下面２０Ｂに形成された格子状に形成された複数の孔８１と、下面２０Ｂの周縁部のうち側面２０Ｆ、２０Ｓ、２０Ｔと交差する周縁部に沿って下面２０Ｂより延出するよう形成された壁部８２と、これらの壁部８２と一体的に形成された平面部８３とから成る。吸気ファン６２により筐体１１の内部に吸入された外気は、孔８１をから壁部８２が形成されていない箇所を通って、筐体１１の外部へ排出される。即ち、図５に示すように、筐体１１の内部において矢印で示す空気の対流が発生し、筐体１１内の温度が所定の範囲に維持される。
　【００３５】
　この屋外用ハウジング１０は、図５に示すように設置現場に設けられる架台２００の上に配設される。排気口８０が架台２００に接触せず、かつケース２０の下面２０Ｂにおいて排気口８０が形成されていない部分が架台２００の設置面に当接するよう、屋外用ハウジング１０は配設される。ケース２０内に配設された液晶プロジェクタ１００から投射される映像を所定の投射面に投射させるための調節は、架台２００の設置状態を適宜調節して行なう。
　【００３６】
　尚、本実施形態においては、冷温器５０としてペルチェ素子を備えたものを用いているがこれに限るものではなく、通常の家庭用に用いられる冷媒を用いた小型のクーラやヒータ等を用いてもよい。
　【００３７】
　また、本実施形態において筐体１１に配設される映像機器は液晶プロジェクタ１００であるがこれに限るものではなく、カメラ等の撮像機器に屋外用ハウジング１０を用いてもよい。
　【００３８】
　【発明の効果】
　以上のように本発明によれば、映像機器の屋外での使用が長期間、可能となるハウジングが得られる。
【図面の簡単な説明】
　【図１】
　本発明の実施形態が適用される屋外用ハウジングの分解斜視図である。
　【図２】
　ケースの開口部をケース内部から示す正面図である。
　【図３】
　フードを取付けた状態の屋外用ハウジングを示す斜視図である。
　【図４】
　ケースを取り出し口の側から示す平面図である。
　【図５】
　屋外用ハウジングの筐体を側面から示す一部断面図である。
　【符号の説明】
　１０　屋外用ハウジング
　１１　筐体
　２０　ケース
　２８　取付けステー
　２９　加熱器
　３０　蓋
　３２　取付けステー
　４０　フード
　５０　冷温器
　８０　排気口
　１００　液晶プロジェクタ
　２００　架台